(57)【要約】【課題】  ハード・ディスクとディスク・チェンジャ上のディスクを用いてデータ・コンテンツのバックアップや再生動作を効率的に行なう。【解決手段】  ハード・ディスクと複数枚のリムーバブル・ディスクを備えるディスク・チェンジャで、コンテンツ毎にハード・ディスクとディスク・チェンジャに同じデータを書き込む。圧縮可能なデータの場合、ハード・ディスク上に圧縮データを記録する。ディスクにコンテンツを書き込む際、ディスクの容量、圧縮するか否かの判定、コンテンツ・データに基づくディスクの選定を行なう。コンテンツを読み出す際には、ハード・ディスクをキャッシュとして用いる。【選択図】  図７
2006195588.tif 000002
【特許請求の範囲】
【請求項１】
複数のリムーバブル・ディスクを用いてファイルの保存及び再生を行なうディスク・システムであって、
複数のリムーバブル・ディスクを交換可能に挿入し、そのうちの一部をローディングしてファイルの書き込み及び読み出しを行なうディスク・チェンジャと、
ファイルの書き込み及び読み出しが可能なハード・ディスク装置と、
前記ディスク・チェンジャ及び前記ハード・ディスク装置に対するファイルの操作及びファイルに対するデータ処理を行なう制御部を備え、
前記制御部は、当該システムに書き込まれたファイルについての圧縮ファイルを管理する圧縮ファイル管理部と、当該システムに書き込まれた元のファイルを管理する原ファイル管理部と、当該システムに書き込まれたファイルに関する圧縮ファイル及び原ファイルの格納先となるアドレス情報を管理するアドレス情報管理部を備える、
ことを特徴とするディスク・システム。
【請求項２】
前記制御部は、前記ハード・ディスク装置に、前記圧縮ファイル管理部が管理する圧縮ファイルを格納するデータ領域と、前記アドレス情報管理部が管理するアドレス情報を格納するアドレス情報領域と、当該システムに書き込まれたファイルを一時的に保存するキャッシュ領域を設ける、
ことを特徴とする請求項１に記載のディスク・システム。
【請求項３】
前記圧縮ファイル管理部は、前記ディスク・チェンジャへの新規リムーバブル・ディスクの挿入又はその他の手段により当該システムに新規にファイルが書き込まれたことに応答して、その圧縮ファイルを生成し、前記ハード・ディスク装置に保存する、
ことを特徴とする請求項１に記載のディスク・システム。
【請求項４】
前記圧縮ファイル管理部は、生成した圧縮ファイルを保存する容量が不足する場合には、前記ハード・ディスク装置内の最も古い圧縮ファイルの順又はその他の手法により選ばれたファイルを消去して容量を確保する、
ことを特徴とする請求項３に記載のディスク・システム。
【請求項５】
前記原ファイル管理部は、前記ディスク・チェンジャへの新規リムーバブル・ディスクの挿入以外の手段により当該システムに新規のファイルが書き込まれたことに応答して、当該新規ファイルを非圧縮のまま、前記ディスク・チェンジャに挿入されているリムーバブル・ディスク上に保存する、
ことを特徴とする請求項１に記載のディスク・システム。
【請求項６】
ファイル及びフォルダを格納する階層化フォルダ構造を持つファイル・システムを備え、
前記アドレス情報管理部は、当該システムに書き込まれた各ファイルに関し、前記圧縮ファイル管理部により前記ハード・ディスク装置に保存された圧縮ファイルのアドレス情報と、前記原ファイル管理部により前記ディスク・チェンジャ上に保存された元のファイルのアドレス情報と、ファイルを置くフォルダの情報を対応付けて管理する、
ことを特徴とする請求項１に記載のディスク・システム。
【請求項７】
７
ファイル及びフォルダを格納する階層化フォルダ構造を持つファイル・システムを備え、
前記アドレス情報管理部は、前記ディスク・チェンジャに挿入されている各リムーバブル・ファイルに対応するフォルダを前記ハード・ディスク装置のデータ領域に形成する、
ことを特徴とする請求項１に記載のディスク・システム。
【請求項８】
前記圧縮ファイル管理部は、前記ディスク・チェンジャに挿入されたリムーバブル・ディスクに格納されたファイルを圧縮し、当該リムーバブル・ディスクと対応するフォルダ内に当該圧縮ファイルを保存する、
ことを特徴とする請求項７に記載のディスク・システム。
【請求項９】
前記アドレス情報管理部は、新規のフォルダを作成する際に、前記ディスク・チェンジャ側に未使用のリムーバブル・ディスクが存在しない場合には、使用済みのリムーバブル・ディスクの中から、残容量がより大きく、又は既に格納されている個々のファイルのサイズが小さいものを選ぶ、
ことを特徴とする請求項７に記載のディスク・システム。
【請求項１０】
前記制御部は、当該システムに新規にファイルが書き込まれたときに、当該ファイルを解析して圧縮可能か否かを判別し、
前記圧縮ファイル管理部は、圧縮可能と判断されたときには当該ファイルを圧縮して前記ハード・ディスク装置に保存するが、圧縮不能と判断されたときには当該ファイルの一部を用いて生成された情報を前記ハード・ディスク装置に保存する、
ことを特徴とする請求項１に記載のディスク・システム。
【請求項１１】
前記原ファイル管理部は、前記ディスク・チェンジャ内の各リムーバブル・ディスクに保存されているファイルの種類、ファイルの大きさ、フォルダ内のファイルの組み合わせに基づいて、当該システムに書き込まれたファイルの保存先となるリムーバブル・ディスクを決定する、
ことを特徴とする請求項１に記載のディスク・システム。
【請求項１２】
ファイル及びフォルダを格納する階層化フォルダ構造を持つファイル・システムを備え、
前記アドレス情報管理部は、当該システムに書き込まれた各ファイルの保存先となるフォルダを自動識別し、又は当該ファイルの解析結果に基づいて決定する、
ことを特徴とする請求項１に記載のディスク・システム。
【請求項１３】
前記制御部は、当該システムに保存されているファイルを読み出して再生処理を行なうデータ再生部をさらに備える、
ことを特徴とする請求項１に記載のディスク・システム。
【請求項１４】
前記圧縮ファイル管理部は、前記ディスク・チェンジャ内のリムーバブル・ディスクに格納されている原ファイルについての圧縮ファイル又は原ファイルの一部を前記ハード・ディスク装置上に保存しており、
前記データ再生部は、再生が指示されたファイルに対応する圧縮ファイル又は当該ファイルの一部を前記ハード・ディスク装置から読み出して再生し、次いで前記ディスク・チェンジャから転送された該当ファイルを用いて再生する、
ことを特徴とする請求項１３に記載のディスク・システム。
【請求項１５】
前記アドレス情報管理部は、原ファイルとその圧縮ファイルとの対応関係を管理し、
前記制御部は、再生可能な各ファイルにつき、圧縮ファイル及び原ファイルをそれぞれ表象するアイコンを多重表示してユーザに提示するファイル提示部をさらに備え、
前記データ再生部は、圧縮ファイル又は原ファイルのうちユーザからアイコン選択された一方を用いてファイルの再生処理を行なう、
ことを特徴とする請求項１３に記載のディスク・システム。
【請求項１６】
前記アドレス情報管理部は、前記ディスク・チェンジャ内のリムーバブル・ディスクに格納されている原ファイルと、前記ハード・ディスク装置に保存されている圧縮ファイルとの対応関係を管理し、
前記制御部は、前記ディスク・チェンジャからリムーバブル・ディスクが取り出されたときに、当該リムーバブル・ディスクを消去リストに登録する消去リスト管理部をさらに備える、
ことを特徴とする請求項１に記載のディスク・システム。
【請求項１７】
前記制御部は、前記ハード・ディスク装置内の容量が不足する場合には、前記消去リスト内で最も古いリムーバブル・ディスク又はその他の手法により選ばれたリムーバブル・ディスクに関する圧縮ファイルを消去して容量を確保する、
ことを特徴とする請求項１６に記載のディスク・システム。
【請求項１８】
交換可能に挿入されている複数のリムーバブル・ディスクの一部をローディングしてファイルの書き込み及び読み出しを行なうディスク・チェンジャと、ファイルの書き込み及び読み出しが可能なハード・ディスク装置とを併用したディスク・システムを用いてファイルの保存及び再生を行なうディスク管理方法であって、
当該システムに書き込まれたファイルについての圧縮ファイルを管理する圧縮ファイル管理ステップと、
当該システムに書き込まれた元のファイルを管理する原ファイル管理ステップと、
当該システムに書き込まれたファイルに関する圧縮ファイル及び原ファイルの格納先となるアドレス情報を管理するアドレス情報管理ステップと、
を具備することを特徴とするディスク管理方法。
【請求項１９】
前記ハード・ディスク装置に、前記圧縮ファイル管理部が管理する圧縮ファイルを格納するデータ領域と、前記アドレス情報管理部が管理するアドレス情報を格納するアドレス情報領域と、当該システムに書き込まれたファイルを一時的に保存するキャッシュ領域を設ける、
ことを特徴とする請求項１８に記載のディスク管理方法。
【請求項２０】
前記圧縮ファイル管理ステップでは、前記ディスク・チェンジャへの新規リムーバブル・ディスクの挿入又はその他の手段により当該システムに新規にファイルが書き込まれたことに応答して、その圧縮ファイルを生成し、前記ハード・ディスク装置に保存する、
ことを特徴とする請求項１８に記載のディスク管理方法。
【請求項２１】
前記圧縮ファイル管理ステップでは、生成した圧縮ファイルを保存する容量が不足する場合には、前記ハード・ディスク装置内の最も古い圧縮ファイルの順又はその他の手法により選ばれたファイルを消去して容量を確保する、
ことを特徴とする請求項２０に記載のディスク管理方法。
【請求項２２】
前記原ファイル管理ステップでは、前記ディスク・チェンジャへの新規リムーバブル・ディスクの挿入以外の手段により当該システムに新規のファイルが書き込まれたことに応答して、当該新規ファイルを非圧縮のまま、前記ディスク・チェンジャに挿入されているリムーバブル・ディスク上に保存する、
ことを特徴とする請求項１８に記載のディスク管理方法。
【請求項２３】
前記アドレス情報管理ステップでは、ファイル及びフォルダを格納する階層化フォルダ構造を持つファイル・システムを適用し、当該システムに書き込まれた各ファイルに関し、前記圧縮ファイル管理ステップにおいて前記ハード・ディスク装置に保存された圧縮ファイルのアドレス情報と、前記原ファイル管理ステップにおいて前記ディスク・チェンジャ上に保存された元のファイルのアドレス情報と、ファイルを置くフォルダの情報を対応付けて管理する、
ことを特徴とする請求項１８に記載のディスク管理方法。
【請求項２４】
前記アドレス情報管理ステップでは、ファイル及びフォルダを格納する階層化フォルダ構造を持つファイル・システムを適用し、前記ディスク・チェンジャに挿入されている各リムーバブル・ファイルに対応するフォルダを前記ハード・ディスク装置のデータ領域に形成する、
ことを特徴とする請求項１８に記載のディスク管理方法。
【請求項２５】
前記圧縮ファイル管理ステップでは、前記ディスク・チェンジャに挿入されたリムーバブル・ディスクに格納されたファイルを圧縮し、当該リムーバブル・ディスクと対応するフォルダに当該圧縮ファイルを保存する、
ことを特徴とする請求項２４に記載のディスク管理方法。
【請求項２６】
前記アドレス情報管理ステップでは、新規のフォルダを作成する際に、前記ディスク・チェンジャ側に未使用のリムーバブル・ディスクが存在しない場合には、使用済みのリムーバブル・ディスクの中から、残容量がより大きく、又は既に格納されている個々のファイルのサイズが小さいものを選ぶ、
ことを特徴とする請求項２４に記載のディスク管理方法。
【請求項２７】
当該システムに新規にファイルが書き込まれたときに、当該ファイルを解析して圧縮可能か否かを判別するファイル解析ステップをさらに備え、
前記圧縮ファイル管理ステップでは、圧縮可能と判断されたときには当該ファイルを圧縮して前記ハード・ディスク装置に保存するが、圧縮不能と判断されたときには当該ファイルの一部を用いて生成された情報を前記ハード・ディスク装置に保存する、
ことを特徴とする請求項１８に記載のディスク管理方法。
【請求項２８】
前記原ファイル管理ステップでは、前記ディスク・チェンジャ内の各リムーバブル・ディスクに保存されているファイルの種類、ファイルの大きさ、フォルダ内のファイルの組み合わせに基づいて、当該システムに書き込まれたファイルの保存先となるリムーバブル・ディスクを決定する、
ことを特徴とする請求項１８に記載のディスク管理方法。
【請求項２９】
前記アドレス情報管理ステップでは、ファイル及びフォルダを格納する階層化フォルダ構造を持つファイル・システムを適用し、当該システムに書き込まれた各ファイルの保存先となるフォルダを自動識別し、又は当該ファイルの解析結果に基づいて決定する、
ことを特徴とする請求項１８に記載のディスク管理方法。
【請求項３０】
当該システムに保存されているファイルを読み出して再生処理を行なうデータ再生ステップをさらに備える、
ことを特徴とする請求項１８に記載のディスク管理方法。
【請求項３１】
前記圧縮ファイル管理ステップでは、前記ディスク・チェンジャ内のリムーバブル・ディスクに格納されている原ファイルについての圧縮ファイル又は原ファイルの一部を前記ハード・ディスク装置上に保存しており、
前記データ再生ステップでは、再生が指示されたファイルに対応する圧縮ファイル又は当該ファイルの一部を前記ハード・ディスク装置から読み出して再生し、次いで前記ディスク・チェンジャから転送された該当ファイルを用いて再生する、
ことを特徴とする請求項３０に記載のディスク管理方法。
【請求項３２】
前記アドレス情報管理ステップでは、原ファイルとその圧縮ファイルとの対応関係を管理し、
再生可能な各ファイルにつき、圧縮ファイル及び原ファイルをそれぞれ表象するアイコンを多重表示してユーザに提示するファイル提示ステップをさらに備え、
前記データ再生ステップは、圧縮ファイル又は原ファイルのうちユーザからアイコン選択された一方を用いてファイルの再生処理を行なう、
ことを特徴とする請求項３０に記載のディスク管理方法。
【請求項３３】
前記アドレス情報管理ステップでは、前記ディスク・チェンジャ内のリムーバブル・ディスクに格納されている原ファイルと、前記ハード・ディスク装置に保存されている圧縮ファイルとの対応関係を管理し、
前記ディスク・チェンジャからリムーバブル・ディスクが取り出されたときに、当該リムーバブル・ディスクを消去リストに登録する消去リスト管理ステップをさらに備える、
ことを特徴とする請求項１８に記載のディスク管理方法。
【請求項３４】
前記ハード・ディスク装置内の容量が不足する場合には、前記消去リスト内で最も古いリムーバブル・ディスク又はその他の手法により選ばれたリムーバブル・ディスクに関する圧縮ファイルを消去して容量を確保するステップをさらに備える、
ことを特徴とする請求項３３に記載のディスク管理方法。
【請求項３５】
交換可能に挿入されている複数のリムーバブル・ディスクの一部をローディングしてファイルの書き込み及び読み出しを行なうディスク・チェンジャと、ファイルの書き込み及び読み出しが可能なハード・ディスク装置とを併用したディスク・システムを用いてファイルの保存及び再生を行なうための処理をコンピュータ・システム上で実行するようにコンピュータ可読形式で記述されたコンピュータ・プログラムであって、
当該システムに書き込まれたファイルについての圧縮ファイルを管理する圧縮ファイル管理ステップと、
当該システムに書き込まれた元のファイルを管理する原ファイル管理ステップと、
当該システムに書き込まれたファイルに関する圧縮ファイル及び原ファイルの格納先となるアドレス情報を管理するアドレス情報管理ステップと、
を具備することを特徴とするコンピュータ・プログラム。
【発明の詳細な説明】
【技術分野】
【０００１】
本発明は、ＣＤやＤＶＤなどのリムーバブル・メディアを扱うディスク・システム及びディスク管理方法、並びにコンピュータ・プログラムに係り、特に、複数枚のディスクを装填するディスク・チェンジャ機能を備えたディスク・システム及びディスク管理方法、並びにコンピュータ・プログラムに関する。
【０００２】
さらに詳しくは、本発明は、ハード・ディスクとともにディスク・チェンジャを併用するディスク・システム及びディスク管理方法、並びにコンピュータ・プログラムに係り、特に、ハード・ディスクとディスク・チェンジャ上のディスクを用いてデータ・コンテンツのバックアップや再生動作を効率的に行なうディスク・システム及びディスク管理方法、並びにコンピュータ・プログラムに関する。
【背景技術】
【０００３】
昨今の技術革新に伴い、さまざまな種類の計算機システムが開発され市販されている。これら計算機システムは、一般に、情報の蓄積、並びに動作プログラムのインストールなどを行なうために、外部記憶システムを備えている。
【０００４】
磁気記録方式のハード・ディスク記憶装置（Ｈａｒｄ Ｄｉｓｋ Ｄｒｉｖｅ）は、代表的な記憶装置である。ドライブ・ユニット内には記録媒体である数枚の磁気メディアが固定的に収容され、スピンドル・モータによって高速に回転する。メディアには、ニッケル・リンなどのメッキを施した磁性体が塗布されている。そして、磁気ヘッドを回転するメディア表面上で半径方向にスキャンさせることによって、メディア上にデータに相当する磁化を生じさせて書き込みを行ない、あるいはデータを読み出すことができる。
【０００５】
ハード・ディスクは既に広汎に普及している。例えば、パーソナル・コンピュータ用の標準的な外部記憶装置として、コンピュータを起動するために必要なオペレーティング・システム（ＯＳ）やアプリケーションなど、さまざまなソフトウェアをインストールしたり、作成・編集したファイルを保存したりするためにハード・ディスクが利用されている。
【０００６】
また、ハード・ディスクにインストールするための動作プログラムや、データ・コンテンツをシステム間で移動するために、リムーバブルな記録ディスクを着脱自在に装填して情報を再生するタイプの外部記憶装置もある。従来は、フレキシブル・ディスクのような可搬型メディアが主流であったが、最近ではプログラムやデータ・コンテンツの肥大化とも相俟って、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）のような大容量のディスク型記録媒体並びにそのデータ再生記録ユニットが広く使用されている。ＣＤなどの光ディスクは、記録面への照射光に対する反射光を受光して得られるＲＦ信号に基づいて情報を再生することができる記録媒体であり、反射層と記録層色素の組合せに応じてメディアのバリエーションができている（例えば、非特許文献１を参照のこと）。パーソナル・コンピュータを始めとするほとんどの計算機システムは、ハード・ディスクとともに、ＣＤドライブやＤＶＤドライブなどの外部記憶装置を装備している。
【０００７】
従来のディスク記録再生装置は、音楽再生のディスクを主に取り扱うが、ディスクを装填するためのスロットをせいぜい５基くらいしか備えておらず、ユーザがディスクを入れ替えて使用することを前提としている。このような場合、装置から取り出した多数のディスクの保存や管理が面倒になる。例えば、撮り貯めたデジタル・カメラなどのデータ管理が難しい。ユーザはディスクにラベルを貼り付けて分類や整理を行なうこともできる。例えば、記録ディスクに所望のラベルを正確に貼付する用具や方法について提案がなされている（例えば、特許文献１を参照のこと）。しかしながら、ラベルの表示データだけでは格納されているデータの内容が分かりにくいという問題がある。また、１枚のディスクにさまざまなデータやコンテンツを記録した場合、ラベルで中身を表現すること自体が難しい。
【０００８】
最近では、多数枚のディスクを装填するディスク・チェンジャ機能を備えたディスク・ドライブが普及しつつある。ディスク・チェンジャのディスク挿入枚数すなわちスロット数を増加することにより、ユーザに広大な記憶領域を提供することができる。例えば、挿入されるメディアがブルーレイの場合は１枚当たりの容量が５００ＧＢ、これを４００枚だけ挿入可能であるとすると、１台のディスク・チェンジャで２０ＴＢの巨大な記憶空間となる。
【０００９】
このようなディスク・チェンジャ機能を備えたディスク・システムにおいては、ディスクの入れ替えを必ずしも想定しない使用方法が考えられる。このような場合、ユーザは、ディスクの交換や、取り出したディスクの仕分け、整理といった保管の煩わしさから解放される。
【００１０】
多くの場合、ハード・ディスク装置とディスク・チェンジャが併用して用いられることが想定される。ハード・ディスク装置は、高速なデータ・アクセスが可能であるが、ディスク・チェンジャに比べれば記憶容量は小さい。一方、ディスク・チェンジャは記憶容量が巨大であるが（ディスクの入れ替えを考慮すればほぼ無尽蔵である）、ディスク・アクセスが遅く、データ再生に支障をきたすこともある。アクセスに際しディスクのリロードを伴う場合には、リアルタイムでのデータ再生は不可能である（最長で、数秒のディスク・チェンジ時間と、ディスク解析などで、ファイルを読み込むのに１０秒以上の時間を必要とする）。
【００１１】
したがって、ハード・ディスクとディスク・チェンジャを併用するシステムにおいては、ハード・ディスクとディスク・チェンジャ上のディスクを用いてデータ・コンテンツのバックアップやデータ再生動作を効率的に行なうよう、両者の連携関係若しくは連携的な動作が必要であると思料される。
【００１２】
例えば、ＣＤチェンジャの各スロットの内容をハード・ディスクにフォルダのイメージとして格納することにより、ユーザがハード・ディスク内におけるアルバムの管理構造を直感的にイメージできるようにしたサーバ装置及びダビング装置について提案がなされている（例えば、特許文献２を参照のこと）。同装置によれば、ＨＤ記録再生装置はＣＤチェンジャのスロット数に応じたアルバム格納フォルダとプレイリスト格納フォルダを有し、例えばシンクロ録音キーが押されると、ＣＤチェンジャのスロットに装填されたアルバムの音楽データを順次読み出し、ＨＤ記録再生装置の各フォルダに順次格納する。しかしながら、この場合、ディスク・チェンジャ上のすべてのデータをハード・ディスク上に取り込むことが前提となるので、上述したようにディスク・チェンジャが巨大な容量を持つ場合には巨大なハード・ディスクを用意する必要があり、現実的ではない。
【００１３】
また、映像データを複合化したバックアップ・データが格納される光磁気ディスク・チェンジャと、この光磁気ディスク・チェンジャに格納されたバックアップ・データがリストアされるＨＤＤと、光磁気ディスク・チェンジャに格納されたバックアップ・データの一部を取り出してＨＤＤにリストアするバックアップ・ユーティリティを備えたデータ・リストア方式について提案がなされている（例えば、特許文献３を参照のこと）。同方式によれば、所望の映像データ・ファイルのリストアか否かの確認を容易に行なうことができるとともに、その際に必要となるＨＤＤの容量を削減することができる。しかしながら、この場合、必要な際にデータがディスクからＨＤＤにリストアされるだけであり、データの再生やバックアップが効率的且つ確実に行なわれているとは言い難い。
【００１４】
また、通信回線を介してデータ・ファイルが配信されるとデータ・ファイルの更新を確実に行なうデータ通信システムについて提案がなされている（例えば、特許文献４を参照のこと）。同システムによれば、ディスク・チェンジャのメモリに記録されているデータ・ファイルのバージョンとＨＤＤに保存されたデータ・ファイルのバージョンを比較して、メモリのデータ・ファイルのバージョンが古い場合にはメモリのデータ・ファイルをＨＤＤのデータ・ファイルで書き換えるようになっている。しかしながら、同システムは単にデータ更新の時期を決定するだけであり、データの再生動作やバックアップ動作などにおけるディスク・チェンジャとＨＤＤとの連携関係やこれらの動作の効率化に関しては言及していない。
【００１５】
【特許文献１】特開２０００−３２６９４４号公報
【特許文献２】特開２００２−３７３０９７号公報
【特許文献３】特開平９−２３１１０８号公報
【特許文献４】特開平１１−３５３２１７号公報
【非特許文献１】森康裕著「ＣＤ−Ｒ・ＤＶＤ−Ｒマスター」（三才ムック、９０頁〜９２頁、２００２年６月１日）
【発明の開示】
【発明が解決しようとする課題】
【００１６】
本発明の目的は、複数枚のディスクを装填するディスク・チェンジャ機能を備えた、優れたディスク・システム及びディスク管理方法、並びにコンピュータ・プログラムを提供することにある。
【００１７】
本発明のさらなる目的は、ハード・ディスクとともにディスク・チェンジャを併用する、優れたディスク・システム及びディスク管理方法、並びにコンピュータ・プログラムを提供することにある。
【００１８】
本発明のさらなる目的は、ハード・ディスクとディスク・チェンジャ上のディスクを用いてデータ・コンテンツのバックアップや再生動作を効率的に行なうことができる、優れたディスク・システム及びディスク管理方法、並びにコンピュータ・プログラムを提供することにある。
【課題を解決するための手段】
【００１９】
本発明は、上記課題を参酌してなされたものであり、その第１の側面は、複数のリムーバブル・ディスクを用いてファイルの保存及び再生を行なうディスク・システムであって、
複数のリムーバブル・ディスクを交換可能に挿入し、そのうちの一部をローディングしてファイルの書き込み及び読み出しを行なうディスク・チェンジャと、
ファイルの書き込み及び読み出しが可能なハード・ディスク装置と、
前記ディスク・チェンジャ及び前記ハード・ディスク装置に対するファイルの操作及びファイルに対するデータ処理を行なう制御部を備え、
前記制御部は、当該システムに書き込まれたファイルについての圧縮ファイルを管理する圧縮ファイル管理部と、当該システムに書き込まれた元のファイルを管理する原ファイル管理部と、当該システムに書き込まれたファイルに関する圧縮ファイル及び原ファイルの格納先となるアドレス情報を管理するアドレス情報管理部を備える、
ことを特徴とするディスク・システムである。
【００２０】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２１】
前記ハード・ディスク装置には、前記圧縮ファイル管理部が管理する圧縮ファイルを格納するデータ領域と、前記アドレス情報管理部が管理するアドレス情報を格納するアドレス情報領域と、当該システムに書き込まれたファイルを一時的に保存するキャッシュ領域を設けられている。
【００２２】
前記圧縮ファイル管理部は、前記ディスク・チェンジャへの新規リムーバブル・ディスクの挿入又はその他の手段により当該システムに新規にファイルが書き込まれたことに応答して、その圧縮ファイルを生成し、前記ハード・ディスク装置に保存する。但し、生成した圧縮ファイルを保存する容量が不足する場合には、前記ハード・ディスク装置内の最も古い圧縮ファイルの順又はその他の手法により選ばれたファイルを消去して容量を確保するようにする。
【００２３】
また、前記原ファイル管理部は、前記ディスク・チェンジャへの新規リムーバブル・ディスクの挿入以外の手段により当該システムに新規のファイルが書き込まれたことに応答して、当該新規ファイルを非圧縮のまま、前記ディスク・チェンジャに挿入されているリムーバブル・ディスク上に保存するようにする。
【００２４】
本発明に係るディスク・システムは、ファイル及びフォルダを格納する階層化フォルダ構造によりファイルを管理するファイル・システムを備えている。そして、前記アドレス情報管理部は、当該システムに書き込まれた各ファイルに関し、前記圧縮ファイル管理部により前記ハード・ディスク装置に保存された圧縮ファイルのアドレス情報と、前記原ファイル管理部により前記ディスク・チェンジャ上に保存された元のファイルのアドレス情報と、ファイルを置くフォルダの情報を対応付けて管理する。
【００２５】
また、前記アドレス情報管理部は、前記ディスク・チェンジャに挿入されている各リムーバブル・ファイルに対応するフォルダを、前記ハード・ディスク装置のデータ領域に形成する。この場合、前記圧縮ファイル管理部は、前記ディスク・チェンジャに挿入されたリムーバブル・ディスクに格納されたファイルを圧縮し、当該リムーバブル・ディスクと対応するフォルダに当該圧縮ファイルを保存するようにする。
【００２６】
また、前記アドレス情報管理部は、当該システムに書き込まれた各ファイルの保存先となるフォルダを自動識別し、又は、当該ファイルの解析結果に基づいて決定する。
【００２７】
パーソナル・コンピュータを始めとする計算機システムでは、外部記憶装置として、ハード・ディスク装置とともに、ディスク記録再生装置が併用されている。さらに、多数枚のディスクを収納可能なディスク・チェンジャが普及しつつある。ここで、ハード・ディスク装置は高速なデータ・アクセスが可能であるが記憶容量は小さい。一方のディスク・チェンジャは記憶容量が巨大であるが、ディスク・アクセスが遅く、ディスクのリロードを伴う場合にはアクセス時間はさらに長くなる（最長で、数秒のディスク・チェンジ時間と、ディスク解析などでファイルを読み込むのに１０秒以上の時間を必要とする）。
【００２８】
このため、ハード・ディスクとディスク・チェンジャを併用するシステムにおいては、ハード・ディスクとディスク・チェンジャ上のディスクを用いてデータ・コンテンツのバックアップやデータ再生動作を効率的に行なうよう、両者の連携関係若しくは連携的な動作が必要となる。
【００２９】
本発明に係るディスク・システムによれば、外部からファイルが取り込まれると、ハード・ディスク装置に一旦書き込まれ、さらにディスク・チェンジャ内のリムーバブル・ディスクにもファイルの原版すなわちバックアップとして記録される。また、ハード・ディスク装置にファイルを保存すると同時に所定サイズの圧縮を行ない、この圧縮ファイルを残し、元のファイルはハード・ディスク装置から削除する。ハード・ディクス装置には圧縮ファイルのみを残すことにより、ハード・ディスクの空き容量を確保することができる。そして、リムーバブル・ディスク上のファイルは、データ再生時など必要に応じてハード・ディスク装置にリストアされる。
【００３０】
ディスク・チェンジャ内でリムーバブル・ディスクに原版が保存されているファイルは、同時に圧縮ファイルとして、原版の保存先であるリムーバブル・ディスクに対応付けられたフォルダに保存される。このフォルダは、いわば仮想のディスク・ドライブである。このような場合、ユーザにとっては多数のリムーバブル・ディスクからなるディスク・チェンジャがあたかも１枚のディスクであるかのように見える。
【００３１】
また、同フォルダ上で復帰用の操作を行なうと、ファイルの原版がディスク・チェンジャ内の該当ディスクからハード・ディスク装置へ自動的にリストアされるので、ユーザからは、多数のリムーバブル・ディスクからなるディスク・チェンジャがあたかも巨大な１枚のディスクであるかのように見え、一枚一枚のリムーバブル・ディスクを意識する必要はない。例えば、ハード・ディスク装置及びディスク・チェンジャからなる記憶空間は、ネットワーク上では１つのハード・ディスクのように見える。
【００３２】
このように本発明に係るディスク・システムによれば、ハード・ディスクとの連携により、例えば４００枚のリムーバブル・ディスクを装填するスロットを備えたディスク・チェンジャをあたかも１枚のディスクであるかのように扱うことができる。また、ディスク・チェンジャが多数のリムーバブル・ディスクを同時に扱うことができるので、ユーザはディスクの分類・整理などの保管作業から解放される。
【００３３】
また、本発明に係るディスク・システムによれば、ハード・ディスクのクラッシュに備えてリムーバブル・ディスクへのバックアップ処理が自動的に行なわれるので、データの安全性が高まる。
【００３４】
システムに書き込まれたファイルは、前記ハード・ディスク装置のキャッシュ領域に一時保存されるとともに、その圧縮ファイルがデータ領域に保存される。しかしながら、著作権保護のかかったファイルやコンテンツに関しては、前記ハード・ディスク装置にすべてをコピーすることはできない。そこで、前記制御部は、当該システムに新規にファイルが書き込まれたときに、当該ファイルを解析して圧縮可能か否かを判別する。そして、前記圧縮ファイル管理部は、圧縮可能と判断されたときには当該ファイルを圧縮して前記ハード・ディスク装置に保存する。圧縮不能と判断されたときには当該ファイルの一部を用いて生成された情報を前記ハード・ディスク装置に保存するようにする。
【００３５】
このような場合、データ再生時には、再生が指示されたファイルに対応する圧縮ファイル又は当該ファイルの一部を前記ハード・ディスク装置から読み出して再生し、次いで前記ディスク・チェンジャから転送された該当ファイルを用いて再生するようにする。そのまま該当するリムーバブル・ディスクからファイルを読み出すだけでは、ディスク・チェンジ並びにローディングなどを伴い、データ再生が可能になるまで長時間かかることがある。これに対し、本発明によれば、ディスク・チェンジャからデータ転送が可能になるまでは、ハード・ディスク装置に格納されているファイルの原版のイメージや圧縮された一部を利用することにより、空白の期間をなくすことができる。このように、ハード・ディスク装置をキャッシュとして利用することで、利便性を高めることができる。
【００３６】
ここで、保存先となる適当なリムーバブル・ディスクの残容量が小さいと、該当するフォルダを次に保存先として指定したときにさらに他のリムーバブル・ディスクにファイルが分散する可能性が高い。また、同じリムーバブル・ディスクを利用する他のフォルダが大きなファイルを扱う傾向にあるとき、ディスク容量が満杯になり易く、ファイルが分散し易くなる。
【００３７】
そこで、本発明では、前記原ファイル管理部は、前記ディスク・チェンジャ内の各リムーバブル・ディスクに保存されているファイルの種類、ファイルの大きさ、フォルダ内のファイルの組み合わせに基づいて、当該システムに書き込まれたファイルの保存先となるリムーバブル・ディスクを決定するようにする。具体的には、新規のフォルダを作成する際に、前記ディスク・チェンジャ側に未使用のリムーバブル・ディスクが存在しない場合には、使用済みのリムーバブル・ディスクの中から、残容量がより大きく、又は既に格納されている個々のファイルのサイズが小さいものを選ぶようにする。このような格納先フォルダの決定方法によれば、ディスクの分散を避けることができてよい。
【００３８】
また、前記制御部は、当該システムに保存されているファイルを読み出して再生処理を行なうデータ再生部をさらに備えている。前記データ再生部は、再生が指示されたファイルに対応する圧縮ファイル又は当該ファイルの一部を前記ハード・ディスク装置から読み出して再生し、次いで前記ディスク・チェンジャから転送された該当ファイルを用いて再生する。リムーバブル・ディスクからファイルを読み出すだけでは、ディスク・チェンジ並びにローディングなどを伴い、データ再生が可能になるまで長時間かかることがある。そこで、ディスク・チェンジャからデータ転送が可能になるまでは、ハード・ディスク装置をキャッシュとして利用することで、ディスク・チェンジャからファイル転送が可能になるまでの空白の期間をなくし、利便性を高めることができる。
【００３９】
前記アドレス情報管理部は、原ファイルとその圧縮ファイルとの対応関係を管理している。前記制御部は、再生可能な各ファイルにつき、圧縮ファイル及び原ファイルをそれぞれ表象するアイコンを多重表示してユーザに提示するファイル提示部をさらに備えていてもよい。そして、前記データ再生部は、圧縮ファイル又は原ファイルのうちアイコン選択された一方を用いてファイルの再生処理を行なうようにすればよい。例えば、デジタル・カメラで撮ったＪＰＥＧの写真画像などは、プリントしない限りフルサイズのデータ（すなわち元のファイル）を使用する必要はなく、閲覧程度であれば圧縮ファイルで十分である。
【００４０】
また、前記制御部は、前記ディスク・チェンジャからリムーバブル・ディスクが取り出されたときに、当該リムーバブル・ディスクを消去リストに登録する消去リスト管理部をさらに備えていてもよい。前記ハード・ディスク装置内の容量が不足する場合には、前記消去リスト内で最も古いリムーバブル・ディスク又はその他の手法により選ばれたリムーバブル・ディスクに関する圧縮ファイルを消去することにより、容量を確保することができる。
【００４１】
また、本発明の第２の側面は、交換可能に挿入されている複数のリムーバブル・ディスクの一部をローディングしてファイルの書き込み及び読み出しを行なうディスク・チェンジャと、ファイルの書き込み及び読み出しが可能なハード・ディスク装置とを併用したディスク・システムを用いてファイルの保存及び再生を行なうための処理をコンピュータ・システム上で実行するようにコンピュータ可読形式で記述されたコンピュータ・プログラムであって、
当該システムに書き込まれたファイルについての圧縮ファイルを管理する圧縮ファイル管理ステップと、
当該システムに書き込まれた元のファイルを管理する原ファイル管理ステップと、
当該システムに書き込まれたファイルに関する圧縮ファイル及び原ファイルの格納先となるアドレス情報を管理するアドレス情報管理ステップと、
を具備することを特徴とするコンピュータ・プログラムである。
【００４２】
本発明の第２の側面に係るコンピュータ・プログラムは、コンピュータ・システム上で所定の処理を実現するようにコンピュータ可読形式で記述されたコンピュータ・プログラムを定義したものである。換言すれば、本発明の第２の側面に係るコンピュータ・プログラムをコンピュータ・システムにインストールすることによって、コンピュータ・システム上では協働的作用が発揮され、本発明の第１の側面に係るディスク・システムと同様の作用効果を得ることができる。
【発明の効果】
【００４３】
本発明によれば、ハード・ディスクとともにディスク・チェンジャを併用する、優れたディスク・システム及びディスク管理方法、並びにコンピュータ・プログラムを提供することができる。
【００４４】
また、本発明によれば、ハード・ディスクとディスク・チェンジャ上のディスクを用いてデータ・コンテンツのバックアップや再生動作を効率的に行なうことができる、優れたディスク・システム及びディスク管理方法、並びにコンピュータ・プログラムを提供することができる。
【００４５】
本発明に係るディスク・システムによれば、ハード・ディスクとの連携により、例えば４００枚のリムーバブル・ディスクを装填するスロットを備えたディスク・チェンジャをあたかも１枚のディスクであるかのように扱うことができる。また、ディスク・チェンジャが多数のリムーバブル・ディスクを同時に扱うことができるので、ユーザはディスクの分類・整理などの保管作業から解放される。
【００４６】
また、本発明に係るディスク・システムによれば、ハード・ディスクのクラッシュに備えてリムーバブル・ディスクへのバックアップ処理が自動的に行なわれるので、データの安全性が高まる。
【００４７】
本発明のさらに他の目的、特徴や利点は、後述する本発明の実施形態や添付する図面に基づくより詳細な説明によって明らかになるであろう。
【発明を実施するための最良の形態】
【００４８】
以下、図面を参照しながら本発明の実施形態について詳解する。
【００４９】
Ａ．システム構成
本発明に係るディスク・システムは、ＣＤやＤＶＤなどの多数のリムーバブル・ディスクを挿入するディスク・チェンジャと、計算機システムの外部記憶装置として機能するハード・ディスク装置とを組み合わせて構成される。そして、多数のディスクからなる大記憶容量のディスク・チェンジャと、高速アクセス動作が可能なハード・ディスク装置との連携により、データの再生動作やバックアップ動作などを確実且つ効率的に行なう。
【００５０】
図１には、本発明の一実施形態に係るディスク・システム１００の構成を模式的に示している。図示のディスク・システム１００は、ディスク・チェンジャ１０１と、ハード・ディスク装置１０３と、システム・コントローラ１０２と、データ再生出力装置１０４を備えている。
【００５１】
システム・コントローラ１０２は、例えばパーソナル・コンピュータ（ＰＣ）など、ディスク上のファイル管理を行なうオペレーティング・システム、並びにファイル操作を行なうアプリケーション／ユーティリティを実行する計算機システムで構成される。システム・コントローラ１０２は、ＣＰＵやメモリなどの演算機能とともに、モニタ・ディスプレイやマウス／キーボードなどのユーザ・インターフェースを備えている。
【００５２】
システム・コントローラ１０２に対し、ディスク・チェンジャ１０１やハード・ディスク装置１０３は、システム・バス、若しくはＩＤＥ／ＡＴＡＰＩ、ＵＳＢ、ｉ−ｌｉｎｋなどのケーブルを介して相互接続されている。ディスク・チェンジャ１０１やハード・ディスク装置１０３上から読み取られた再生信号は、システム・コントローラ１０２によって復号され、データ再生出力装置１０４から映像及び音響出力される。
【００５３】
ディスク・チェンジャ１０１は、ＣＤやＤＶＤなどのリムーバブル・ディスクを収納する多数のスロットからなるディスク収納ユニットと、トレイに装填された１枚のリムーバブル・ディスクの記録面にアクセスし、データの再生又は記録動作を行なうデータ再生記録ユニットと、ディスク収納ユニットのスロットとデータ再生記録ユニットのトレイの間でリムーバブル・ディスクの入れ替え（すなわち、ディスク・チェンジ）を行なうディスク交換ユニットを備えている。例えば、リムーバブル・ディスクを挿入するスロットを４００基だけ持ち、挿入されるメディアがブルーレイの場合は１枚当たりの容量が５００ＧＢ、これを４００枚だけ挿入可能であるとすると、１台のディスク・チェンジャ１０１で２０ＴＢの巨大な記憶空間となり、ディスクの入れ替えはほぼ必要なくなる。
【００５４】
なお、図示しないが、ディスク・システム１００は、ネットワークに接続していてもよく、ネットワーク経由で外部ホスト装置からハード・ディスク装置１０３やディスク・チェンジャ１０１にファイル・アクセスできるようにしてもよい。この場合、ハード・ディスク装置１０３及びディスク・チェンジャ１０１からなる記憶空間は、ネットワーク上では１つのハード・ディスクのように見える。
【００５５】
図２には、ディスク・チェンジャ１０１内のデータ再生記録ユニットの内部構成を示している。
【００５６】
図示のデータ再生記録ユニットは、ＣＤ−ＲＯＭ（プレスＣＤ）や、ＣＤ−Ｒ、ＣＤ−ＲＷなどいわゆる光ディスク型の記録メディアから、レーザ光を記録面に照射したときのピットの有無に応じて反射光の強度に変化に基づいてデータを読み取ることができる。これらの光ディスクは、最短データ長（最短ピット長）及び最長データ長（最長ピット長）がそれぞれ３Ｔ、１１Ｔに規定され、且つＤＣフリーであるＥＦＭ（Ｅｉｇｈｔ  ｔｏ  Ｆｏｕｒｔｅｅｎ  Ｍｏｄｕｒａｔｉｏｎ）方式により変調されたデータが記録されている。
【００５７】
データ再生記録ユニットは、ＣＰＵ（Ｃｅｎｔｒａｌ  Ｐｒｏｃｅｓｓｉｎｇ  Ｕｎｉｔ）１にバス２が接続され、このバス２に作業メモリとしてのＲＡＭ（Ｒａｎｄｏｍ  Ａｃｃｅｓｓ  Ｍｅｍｏｒｙ）３、システム制御用のプログラム・データ４ａや制御用のパラメータ・データ４ｂが不揮発的に書き込まれたＲＯＭ（Ｒｅａｄ  Ｏｎｌｙ  Ｍｅｍｏｒｙ）４、サーボ系信号処理回路５、このサーボ系信号処理回路５を介して光ディスク７を回転させるためのスピンドル・モータ６及び光学ピックアップ８が接続されている。スピンドル・モータ６による装填されたディスク７の回転動作と、光ピックアップ８のディスク半径方向のスキャン動作とを同期的に行なうことで、光ディスク７の記録面上の任意に場所にアクセスすることができる。
【００５８】
また、入出力ポート１０を介して、ＲＦ信号処理部９からのＲＦ信号を波形等化するイコライザ１１、イコライザ１１の出力を２値化した後にクロックを再生し、このクロックによりデータを再生するとともに再生したデータに対してエラー訂正処理を施すデジタル信号処理部１２、このデジタル信号処理部１２からの出力に対しエラー訂正処理などを施すとともに、そのデータを元のデータ列にデコードするデコーダ１３、及びホスト・コンピュータ１８と通信を行なうためのホスト・インターフェース回路１４が接続されて構成される。
【００５９】
ホスト・インターフェース回路１４は、例えばＵＳＢ（Ｕｎｉｖｅｒｓａｌ  Ｓｅｒｉａｌ  Ｂｕｓ）やＳＣＳＩ（Ｓｍａｌｌ  Ｃｏｍｐｕｔｅｒ  Ｓｙｓｔｅｍ  Ｉｎｔｅｒｆａｃｅ）などのインターフェース規格に準拠する。このデータ再生記録ユニットは、ホスト・インターフェース回路１４並びに外部バス１７を経由して、システム・コントローラ１０２に接続されている。
【００６０】
サーボ系信号処理回路５は、スピンドル・モータ６の回転駆動と、光学ピックアップ８のディスク半径方向のスキャン動作を同期的に制御し、フォーカッシング及びトラッキング動作を行なう。
【００６１】
データ再生記録ユニットに電源が投入されると、ＲＯＭ４に記憶されているプログラム・データ４ａがＣＰＵ１のメイン・メモリにロードされることにより、ＣＰＵ１は、図中の破線で示すように、ＲＡＭ制御手段１５及びシステム制御手段１６としての機能を有する。
【００６２】
データ再生記録ユニットで使用可能な光ディスク７は、ＣＤ−ＲＯＭ、ＣＤ−Ｒ、ＣＤ−ＲＷ、ＤＶＤ−ＲＯＭ、ＤＶＤ−Ｒ、ＤＶＤ−ＲＷ、ＤＶＤ−ＲＡＭなどである。また、データ再生記録ユニットは、ホスト・コンピュータ１８からの指令により、通常速での再生若しくはｘ倍速再生を行なうことが可能である。
【００６３】
イコライザ１１は、ＭＴＦ（Ｍｏｄｕｌａｔｉｏｎ Ｔｒａｎｓｆｅｒ Ｆｕｎｃｔｉｏｎ）によるアイパターンの劣化を補正する目的で設けられている。光ディスク７の再生においては、ディスクの成型条件などにより、光学ピックアップ８から出力されるインパルス応答波形の裾部分が広がり、アイパターンの中心が鈍ってしまい、この結果、アイパターンの中心を基準として行なう２値化を安定して行えなくなる。そこで、イコライザ１１は、例えば、ＲＦ再生波形の高周波数領域レベルを持ち上げることで、デジタル信号処理部１２が安定して２値化を行なえるようにし、等価的にＭＴＦの劣化が補正される。
【００６４】
データ再生記録ユニットに光ディスク７が装填されると、スピンドル・モータ６が回転を開始し、光ディスク７が線速度一定で回転される。光ディスク７の回転速度が一定になると、光学ピックアップ８により、レーザ光を記録面に照射するとともにその反射光が読み取られる。記録面ではピットの有無に応じて反射光の強度が変化するので、光ディスク７からデータが読み取られる。
【００６５】
光ピックアップ８により読み取られたデータは、再生ＲＦ信号として、ＲＦ信号処理部９及びイコライザ１１を介してデジタル信号処理部１２に供給され、このデジタル信号処理部１２においてデジタル・データとして再生される。このデジタル・データは、デコーダ１３に供給され、このデコーダ１３においてエラー訂正が施され、さらに元のデータ配列に戻される。
【００６６】
ハード・ディスク装置１０３は、ニッケル・リンなどのメッキを施した磁性体が塗布された１枚又は数枚の磁気ディスクを固定的なメディアとして使用する記憶装置であり、磁気ヘッドを回転するメディア表面上で半径方向にスキャンさせることによって、メディア上にデータに相当する磁化を生じさせて書き込みを行ない、あるいはデータを読み出すことができる。ハード・ディスク装置自体は、パーソナル・コンピュータを始めとする計算機システムの外部記憶装置として定着している。
【００６７】
図３には、ハード・ディスク装置１０３の内部構成を示している。
【００６８】
同図に示すように、ハード・ディスク装置１０３は、ＣＰＵ３１と、ＲＯＭ３２と、ディスク・コントローラ３３と、バッファＲＡＭ３４と、データ読み書き制御部３５と、サーボ制御部３６とを備えている。
【００６９】
ＣＰＵ３１は、ＲＯＭ３２に格納されている制御コードを実行して、当該装置１０３内の動作を統括的にコントロールする。
【００７０】
ディスク・コントローラ３３は、所定のインターフェースを介して接続されるシステム・コントローラ１０２からコマンドを受け取る。ＣＰＵ３１はこのコマンド処理を行ない、ディスク・コントローラ３３はコマンド処理結果に従って、データ読み書き制御部３５やサーボ制御部３６に対するハードウェア操作を指示する。
【００７１】
システム・コントローラ１０２から受け取った書き込みデータや、ディスク４１から読み取ってホストに渡されるデータは、バッファＲＡＭ３４に一時的に格納される。
【００７２】
データ読み書き制御部３５は、記録メディアとしての磁気ディスク４１表面を走査する磁気ヘッド４２を介したデータの読み書き動作、並びに、書き込みデータの変調処理、読み出しデータの復調処理を行なう。
【００７３】
サーボ制御部３６は、磁気ヘッド４２を搭載したアームを移動するボイス・コイル・モータ（ＶＣＭ）４３、及び磁気ディスクを回転させるスピンドル・モータ（ＳＰＭ）４４の同期的駆動させて、磁気ヘッド４２が磁気ディスク４１上の目的とするトラック上の所定範囲内に到達するように制御する。さらに、磁気ディスク４１上のサーボ・パターン（前述）よりヘッド位置を所定の位置にシークさせるための制御を行なう。
【００７４】
磁気ディスク４１上には、データを記録するための区画である多数のトラックが同心円状に形成され、ディスク４１の最外周から内周に向かって０、１、…という具合にトラック番号が割り振られている。また、各トラックは、さらにセクタ毎に分割されており、このセクタ単位がデータ読み書き動作の可能な最小単位となっている。
【００７５】
セクタ内のデータ量は例えば５１２バイトで固定である。実際に記録されているセクタには、データ本体に加えて、ヘッダ情報やエラー訂正用コードなどが付加されている。
【００７６】
なお、図示しないが、ドライブ・ユニット内には、数枚の磁気ディスク（プラッタ）が同心円状に重なって構成することもでき、そのとき各磁気ディスクの同じトラック番号は円筒状に配置され（シリンダ）、トラック番号と同じシリンダ番号で指定される。
【００７７】
上述したように、本実施形態に係るディスク・システム１００は、ディスク・チェンジャ１０１とハード・ディスク装置１０３の組み合わせで構成されている。ディスク・チェンジャ１０１に収容されるディスク挿入枚数すなわちスロット数を増加することにより、ユーザに広大な記憶領域を提供することができ、ディスクの入れ替えに伴うディスクを保管・整理する手間を省くことができる。ここで、ハード・ディスク装置１０３は高速なデータ・アクセスが可能であるが記憶容量は小さい。一方のディスク・チェンジャ１０１は記憶容量が巨大であるが、ディスク・アクセスが遅く、ディスクの交換を伴う場合にはアクセス時間はさらに長くなる。本実施形態では、これらの装置の連携動作により、データの再生動作やバックアップ動作などを確実且つ効率的に行なうようにしている。
【００７８】
本実施形態に係るディスク・システム１００に外部からファイルが取り込まれると、ハード・ディスク装置１０３に一旦書き込まれ、さらにディスク・チェンジャ１０１内のリムーバブル・ディスクにもファイルの原版すなわちバックアップとして記録される。
【００７９】
また、ハード・ディスク装置１０３にファイルを保存すると同時に所定サイズの圧縮を行ない、この圧縮ファイルを残し、元のファイルはハード・ディスク装置１０３から削除する。ハード・ディクス装置１０３には圧縮ファイルのみを残すことにより、ハード・ディスクの空き容量を確保する。そして、リムーバブル・ディスク上のファイルは、データ再生時など必要に応じてハード・ディスク装置１０３にリストアされる。
【００８０】
例えば、デジタル・カメラの撮像画像などのファイルがシステム１００に取り込まれた場合、ファイルがハード・ディスク装置１０３に保存され、これと同時に所定のサイズの圧縮を行ない、原版となるファイルをディスク・チェンジャ１０１に送り、リムーバブル・ディスク上に書き込む。原版となるファイルのディスク・チェンジャ１０１上の格納場所に関する情報は、ハード・ディスク装置１０３上で保存される。
【００８１】
ディスク・システム１００に保存したファイルを自動若しくは手動で選択し、自動で変換し自動でディスクに書き込むことができる。
【００８２】
勿論、写真データだけでなく、音楽データや映像データなど圧縮可能なその他のデータに関しても、ディスク・システム１００上では同様に取り扱うことかできる。この場合、元の音楽データや映像データを圧縮してハード・ディスク装置１０３に保存する、あるいは元のデータの一部をハード・ディスク装置１０３に保存しておく。例えば、あるデータの再生がユーザから指示されたとき、ハード・ディスク装置１０３上にある圧縮データ若しくは元のデータの一部を利用してデータ再生処理を迅速に開始する。これと並行して、元のデータをディスク・チェンジャ１０１側から転送し、その後は元のデータを利用した再生処理に切り換える。このような場合、ハード・ディスク装置１０３はディスク・チェンジャ１０１のいわばキャッシュとして作用する。
【００８３】
図４には、ディスク・チェンジャ１０１でリムーバブル・ディスクに記録されているファイルの原版と、ハード・ディスク装置１０３に残された圧縮ファイルの対応関係を示している。ディスク・チェンジャ１０１は４００基のスロットを持ち、各スロットに挿入されているリムーバブル・ディスクをＤＩＳＣ１、ＤＩＳＣ２、…、ＤＩＳＣ４００とする。
【００８４】
図示の例では、ＤＩＳＣ１及びＤＩＳＣ２にそれぞれファイル１及びファイル２がフルサイズで記録されている。一方、ハード・ディスク装置１０３側では、ＤＩＳＣ１フォルダ、ＤＩＳＣ２フォルダ…と言った具合に、ディスク・チェンジャ１０１側のリムーバブル・ディスク毎に専用のフォルダが作成され、各フォルダ内には、対応するリムーバブル・ディスクに格納されているファイルの圧縮ファイルと、ファイルの原版の格納場所（すなわちリムーバブル・ディスクのアドレス）が保存されている。
【００８５】
例えば、ハード・ディスク装置１０３のＤＩＳＣ１フォルダには、ディスク・チェンジャ１０１側のＤＩＳＣ１に記録されている各ファイルの圧縮ファイルが格納されている。ハード・ディスク装置１０３側でリムーバブル・ディスク毎に設けられたＤＩＳＣ１フォルダ、ＤＩＳＣ２フォルダ…は、ユーザにとってディスク・チェンジャ１０１上の各リムーバブル・ディスクがあたかも１枚のディスクであるかのように見せかけるための、謂わば「仮想のディスク・ドライブ」である。
【００８６】
このように、ディスク・システム１００では、ディスク・チェンジャ１０１とハード・ディスク装置１０３の連携により、ファイルの原版の保存と圧縮ファイルの保存が同時に行なわれる。ディスク・チェンジャ１０１内のリムーバブル・ディスクにはファイルの原版が保存されている。これと同時に、ハード・ディスク装置１０３側では、その圧縮ファイルが、原版の保存先であるリムーバブル・ディスクに対応付けられた「仮想のディスク・ドライブ」フォルダに保存される。したがって、ユーザにとっては多数のリムーバブル・ディスクからなるディスク・チェンジャ１０１があたかも１枚のディスクであるかのように見える。また、ファイルの再生時には、ファイルがハード・ディスク装置１０３又はディスク・チェンジャ１０１のいずれに所在するかを意識する必要はない。例えば、ハード・ディスク装置及びディスク・チェンジャからなる記憶空間は、ネットワーク上では１つのハード・ディスクのように見える。
【００８７】
パーソナル・コンピュータなどのシステム・コントローラ１０２からファイルを呼び出した場合、モニタ・ディスプレイ画面上では図５に示すように該当するフォルダ以下のファイルとして現れ、圧縮したファイルを見ることができる。圧縮ファイルは、ディスク・チェンジャ１０１側のファイルの原版と紐付けされている（前述）。
【００８８】
図示の「仮想のディスク・ドライブ」フォルダ閲覧画面上では、対応するリムーバブル・ディスク上に保存されている原版のファイルに相当するアイコンが表示されることになる。このとき、「仮想のディスク・ドライブ」フォルダに格納されている圧縮データ（若しくは元のデータの一部）を利用してアイコン表示を行なうことにより、ユーザがファイルの内容を確認し易くなる。また、電子ブックなどのファイルの場合には、一枚目や表紙になる部分を切り出してアイコン表示に利用することにより、ユーザが簡単にファイルの中身を確認できるようにすることができる。この場合も、ファイルの本体はリムーバブル・ディスク上に置かれる。
【００８９】
そして、図５に示したフォルダ閲覧画面上で復帰用のチェックを行なうと、ファイルの原版がディスク・チェンジャ１０１内の該当ディスクからハード・ディスク装置１０３へ自動的にリストアされる。したがって、多数のリムーバブル・ディスクからなるディスク・チェンジャ１０１をあたかも１枚のディスクとして扱うことができる。ユーザは、ディスク・チェンジャ１０１に挿入されている一枚一枚のリムーバブル・ディスクを意識する必要はない。例えば、ハード・ディスク装置及びディスク・チェンジャからなる記憶空間は、ネットワーク上では１つのハード・ディスクのように見える。
【００９０】
ファイルの原版のリストアに際し、ハード・ディスク装置１０３はディスク・チェンジャ１０１のキャッシュとして作用する。あるファイルの再生がユーザから指示されたとき、ハード・ディスク装置１０３上にある圧縮ファイル（若しくは元のファイルの一部のデータ）を利用して再生処理を迅速に開始する。これと並行して、ファイルの原版をディスク・チェンジャ１０１側から転送し、その後は原版を利用した再生処理に切り換える。
【００９１】
図５に示したフォルダ閲覧画面上で、アイコンにカーソルを当てると、当てたフォルダは圧縮に相当する。このとき、画面上に表示するアイコンを、圧縮ファイルを持つフォルダと非圧縮ファイルを持つフォルダの２つに分離し（図６を参照のこと）、圧縮非圧縮を選び易いようにしてもよい。そして、ユーザが選択した方を起動する。その区別は、単に圧縮・非圧縮を選ぶだけのスイッチの役割になる。フォルダの中身はどちらも同じものになる。例えば、ＪＰＥＧファイルの場合、非圧縮のフォルダを選んだとしても、個々のファイルを選んだ時点ではサムネイルとして圧縮を用い、その間にディスク・チェンジャ１０１側ではディスク・チェンジをして、非圧縮のデータをハード・ディスク装置１０３に転送する。呼び込まれたときに、例えばファイルが点滅して圧縮であることを知らせ、ファイル転送完了後に点滅が常時点灯に切り換わる。
【００９２】
図５に示したような「仮想ディスク」フォルダによる表示方法は、ユーザにディスクの所在を意識させないで済む。これに対し、リムーバブル・ディスクをディスク・チェンジャ１０１に挿入した際などはディスク番号などが判る方が好ましいこともあるので、ディスク番号順の表示方法を導入してもよい。
【００９３】
ディスク・システム１００に取り込まれたファイルはすべて、ハード・ディスク装置１０３に格納される。このとき、ユーザは、格納先として、既存の「仮想のディスク・ドライブ」フォルダを指定するか、又は新しい「仮想のディスク・ドライブ」フォルダを作成する。
【００９４】
前者の場合、ディスク・チェンジャ１０１側では、指定されたフォルダに対応するリムーバブル・ディスクにファイルの原版が追加して保存先される。また、後者の場合、ディスク・チェンジャ１０１側では、新しいフォルダに対応する（空き）リムーバブル・ディスクが選択され、そこがファイルの原版の保存先となる。
【００９５】
新規の「仮想のディスク・ドライブ」フォルダを作成する際に、ディスク・チェンジャ１０１側に未使用のリムーバブル・ディスクが存在しない場合には、使用済みのリムーバブル・ディスクの中から、残容量がより大きく、また、既に格納されている個々のファイルのサイズが小さいものを選ぶようにすると、ディスクの分散を避けることができてよい。（残容量が小さいと、当該フォルダを次に保存先として指定したときにさらに他のリムーバブル・ディスクにファイルが分散する可能性が高い。また、同じリムーバブル・ディスクを利用する他のフォルダが大きなファイルを扱う傾向にあるとき、ディスク容量が満杯になり易く、ファイルが分散し易くなる。）
【００９６】
また、ハード・ディスク装置１０３に一時的に保存されているファイルの原版は、例えばディスク・システム１００の電源を遮断するときや、ユーザからのアーカイブ指示などに応答して、ディスク・チェンジャ１０１に転送され、仮想のディスク・ドライブに相当するリムーバブル・ディスクへバックアップされる。
【００９７】
本実施形態に係るディスク・システム１００では、基本動作として、システムに投入されたファイルは圧縮されてハード・ディスク装置１０３に保存される。ところが、ディスク・システム１００に投入されたファイルが、著作権保護がかけられたＤＶＤなどにより供給されたデータの場合には、このような基本処理が不能となる。また、米マイクロソフト社のマイクロソフト・オフィスにおける「エクセル」ファイルなどの場合も、圧縮を利用せず、アプリケーション上で選択できるようにする。
【００９８】
また、ディスク・システム１００に新たなファイルが投入されたことを感知したときに、圧縮するかしないかをユーザに選択を促す表示をするなどの処理を行なう。勿論、自動モードでユーザの選択を不要とする方法も設定できるようにしてもよい。
【００９９】
また、ディスク・チェンジャ１０１にリムーバブル・ディスクを挿入する場合（あるいはその他の媒介を通じてディスク・システム１００に新規のファイルを投入する場合）、ハード・ディスク装置１０３上にそのイメージを作らないことを指示する操作ボタンなどを用意するようにしてもよい。例えば、レンタル・ディスクや、インストール・ディスクなどの場合である。
【０１００】
なお、ディスク・チェンジャ１０１に同時に多数枚のディスクが挿入されることもある。この場合、ユーザが選んだディスク（若しくはディスク再生記録ユニットにローディングされたディスク）から順に処理をしていく。
【０１０１】
例えば、リムーバブル・ディスクにＲＦＩＤやバーコードなどのディスク情報が付加され、ネットワーク経由でそれらのＩＤが管理されていることもある。この場合、そこから引き出される情報を表示するようにしてもよい。
【０１０２】
一方、ディスクの挿入とは逆に、ディスク・チェンジャ１０１からディスクを吐き出した際には、ハード・ディスク装置１０３に対しイジェクトのサインを送り、空きディスクの番号を示す。同時に、ハード・ディスク装置１０３に残した圧縮ファイルなどのデータを利用できないようにするのかどうか、ユーザの選択を促す。
【０１０３】
ディスク・チェンジャ１０１側でディスクの交換を無制限に繰り返していくと、ハード・ディスク装置１０３の容量をオーバーするという事態を招来する。この対策として、例えばＬＲＵ（Ｌｅａｓｔ  Ｒｅｃｅｎｓｔｙ  Ｕｓｅｄ）などの論理を利用し、現時点から最も古く抜き出されたリムーバブル・ディスクに関連する情報をハード・ディスク装置１０３から削除してもよいかどうか、ユーザの確認を行なうようにする。ユーザが削除を拒否した場合、若しくはハード・ディスク装置１０３上の容量が足りない場合、順次古いほうから同じ処理を行なう。オプションとして、現時点から指定した日数以降に使用したファイルに関しては、残すようにしてもよい。
【０１０４】
Ｂ．ディスク・システムへのファイル取り込み
本実施形態に係るディスク・システム１００では、基本動作として、システムに投入されたファイルは圧縮されてハード・ディスク装置１０３に保存される。図７には、ディスク・システム１００にファイルが取り込まれたときの処理の様子を図解している。
【０１０５】
例えばＰＣなどのシステム・コントローラ１０２からファイルが書き込まれた場合、ハード・ディスク装置１０３上にそのまま一時保存されるが、圧縮処理がかけられてハード・ディスク装置１０３のデータ領域に圧縮データが保存される。また、これと同時に一時保存されているファイルはディスク・チェンジャ１０１内のリムーバブル・ディスクにも格納される。リムーバブル・ディスクはバックアップすなわち保存用なので、ファイルの原版を非圧縮のまま格納する。
【０１０６】
但し、著作権保護がかけられているファイルや、エクセル・ファイルのように圧縮を利用できないファイルが存在する。そこで、ディスク・システム１００にファイルが取り込まれた時点でファイル解析をし、ファイルの種類に応じて、ハード・ディスク装置１０３に保存するものを圧縮又は非圧縮のいずれにするか（若しくは圧縮形式）を決定するようにする。
【０１０７】
ハード・ディスク装置１０３上では、ディスク・システム１００上で取り扱う各ファイルについて、圧縮データのハード・ディスク装置１０３上のアドレスと、非圧縮データ（すなわち原版）のディスク・チェンジャ１０１上のアドレス（ディスク番号など）と、ディスク・システム１００上のファイル位置（フォルダ名若しくはパス名）などの各ファイルに関するアドレス情報が管理されている。
【０１０８】
ここで、挿入されたリムーバブル・ディスクにはどんなファイルが書き込まれているのか判らない。また、さまざまに種類のデータが混在しているディスクの場合、ユーザはそれぞれのフォルダに振り分ける作業を行なうのは面倒である。また、いちいち読込先を指定するのも面倒である。システム１００の外部（すなわちユーザ）から見た際に、ディスク・チェンジャ１０１を仮想ドライブのように一枚のハード・ディスクのように見せず、挿入されている各リムーバブル・ディスクの表示とすれば特に操作は必要ではないが、４００枚程度の厖大数のディスクはそれぞれ独立しているので、これらの中から探す操作をユーザに強いるのは妥当でない。
【０１０９】
そこで、リムーバブル・ディスクがディスク・チェンジャ１０１に装填された場合、まずデータ再生記録ユニットにこの新規ディスクをローディングして、ディスクのファイル解析を行ない、どのフォルダに投げ込むかをファイルの種類などに基づいて決定するようにしている。ディスク単位でフォルダ（仮想ディスク・フォルダ）を作成するか、あるいは拡張子などから適切なフォルダに自動的に分配する処理を行なうようにしてもよい。
【０１１０】
例えば、静止画であれば写真フォルダに、音楽データであれば音楽フォルダに、映画であればＭＯＶＩＥ（映画）フォルダに、それぞれ振り分けて格納される。ディスク・システム１００上で利用可能なファイルは、ユーザからは、振り分けられたフォルダ単位で可視化されている。すなわち、「エクスプローラ」などのデスクトップ画面上でのファイルの表示形態は、対をなす圧縮ファイルと非圧縮ファイルが２重表示され（前述）、圧縮ファイルやバックアップ・ファイルの物理的な格納場所とは無関係である。
【０１１１】
図８には、ディスク・チェンジャ１０１にリムーバブル・ディスクを挿入したときにファイル自動振り分けを行なう様子を示している。ディスク収納ユニットに新規に挿入されたリムーバブル・ディスクは、ディスク再生記録ユニットにローディングされ、格納されている各ファイルの解析が行なわれる。そして、解析結果に基づいて、ディスク・システム１００上の各フォルダに分配されていくとともに、ハード・ディスク装置１０３に保存するファイルの圧縮／非圧縮が決定され、データ領域に格納される。
【０１１２】
また、図９には、ＰＣなどのシステム・コントローラ１０２を介してディスク・システム１００に書き込まれたファイルの処理を行なう様子を示している。フォルダに書き込まれたファイルの解析が行なわれ、その解析結果に基づいて、ハード・ディスク装置１０３に保存するファイルの圧縮／非圧縮が決定され、データ領域に格納される。この場合、ファイル書き込み時にユーザによってフォルダが指定されるが、ファイル解析によりフォルダを自動選択するようにしてもよい。また、ハード・ディスク装置１０３への保存動作と同時に、バックアップ用となるファイルの原版を非圧縮のままリムーバブル・ディスクに格納する。
【０１１３】
バックアップ用のファイルの投げ込み先となるリムーバブル・ディスクを決定する際、ディスク・システム１００に書き込まれた各ファイルをファイルの種類や拡張子、ファイルの大きさ、フォルダ中のファイルの組み合わせなどにより分類する（図１０を参照のこと）。ディスク・チェンジャ１０１側に未使用のリムーバブル・ディスクが存在しない場合には、使用済みのリムーバブル・ディスクの中から、残容量がより大きく、また、既に格納されている個々のファイルのサイズが小さいものを選ぶようにすると、ディスクの分散を避けることができてよい。（残容量が小さいと、当該フォルダを次に保存先として指定したときにさらに他のリムーバブル・ディスクにファイルが分散する可能性が高い。また、同じリムーバブル・ディスクを利用する他のフォルダが大きなファイルを扱う傾向にあるとき、ディスク容量が満杯になり易く、ファイルが分散し易くなる。）
【０１１４】
なお、ここでは説明しないが、ネットワーク経由でディスク・システム１００上のフォルダにダウンロードされたファイルに関しても、図９に示した場合と同様に取り扱うことができる。
【０１１５】
Ｃ．ディスク・システム上でのファイル再生
本実施形態に係るディスク・システム１００では、同じファイルが圧縮データとしてハード・ディスク装置１０３に保存されるとともに、バックアップ用として非圧縮のファイルの原版がリムーバブル・ディスクに置かれる。ファイルの再生処理は、ハード・ディスク装置１０３上の圧縮データ、あるいはリムーバブル・ディスク上の非圧縮データのいずれを用いても行なうことができる。
【０１１６】
図１１には、ハード・ディスク装置１０３上の圧縮データを用いてファイルの再生を行なう流れを示している。この場合、デスクトップ画面上で圧縮ファイルが選択されると、ハード・ディスク装置１０３上で管理されているアドレス情報を基に該当する圧縮ファイルを特定し、これをＰＣなどのシステム・コントローラ１０２に転送して、データの復号化・再生処理を行なう。
【０１１７】
また、図１２には、ハード・ディスク装置１０３上の圧縮データを用いず、リムーバブル・ディスク上の非圧縮ファイルを用いて再生を行なう流れを示している。著作権保護されリムーバブル・ディスク上にしかファイルが存在しない場合や、デスクトップ画面上で非圧縮ファイルが選択される場合がこれに相当する。この場合、ファイルの一部又は圧縮ファイルがハード・ディスク装置１０３に保存されているとする。まず、ハード・ディスク装置１０３上で管理されているアドレス情報を基に、該当するファイルの一部又は圧縮ファイルを取り出して再生処理を行なう。これと並行して、該当する非圧縮ファイルを特定し、該当するリムーバブル・ディスクが検出されると、リムーバブル・ディスクからのデータに切り換えられ、復号化・再生処理を行なう。若しくは、ハード・ディスク装置１０３上のサムネイルをユーザが選択すると、実際には非圧縮データを該当するリムーバブル・ディスクから転送する。
【０１１８】
Ｄ．リムーバブル・ディスクの交換に伴う処理
ディスク・チェンジャ１０１からディスクを吐き出した際には、ハード・ディスク装置１０３に対しイジェクトのサインを送り、空きディスクの番号を示す。システム・コントローラは、贈られてきたディスク番号をイジェクト・リスト又は消去リストに登録する（後述）。同時に、ハード・ディスク装置１０３に残した圧縮ファイルなどのデータを利用できないようにするのかどうか、ユーザの選択を促す。
【０１１９】
リムーバブル・ディスクをディスク・チェンジャ１０１から抜き取った後も、ハード・ディスク装置１０３に圧縮ファイルを残すことをユーザが選択した場合には、非圧縮のデータがないことをアイコンの表示などによってユーザに通知する。アイコンを圧縮ファイルと非圧縮ファイルに分離して２重に表示することで、ユーザが選び易いユーザ・インターフェースを構成する点については既に述べた通りである。リムーバブル・ディスクが抜かれて非圧縮ファイルがシステム１００で利用できなくなった場合には、例えば非圧縮ファイルのアイコンに代えてディスク・マークを付け、ディスクがないことを表すようにする（図１３を参照のこと）。あるいは、非圧縮ファイルのアイコンだけをグレー表示に切り換えるようにしてもよい。
【０１２０】
ディスク・チェンジャ１０２上でリムーバブル・ディスクの交換を行なった際、リムーバブル・ディスクが元の場所に挿入されるとは限らない。そこで、交換したリムーバブル・ディスクをディスク再生記録ユニットにリロードし、ファイル解析を行ない、この結果に基づいてハード・ディスク装置１０３内のアドレス情報を書き換える。
【０１２１】
図１４〜図１７には、ディスク・チェンジャ１０２上でのリムーバブル・ディスクの交換に伴うアドレス情報の書き換え処理の様子を示している。但し、アドレス情報は、各ファイルをディスク収納ユニット上でのリムーバブル・ディスクの格納番号とディスク番号で関連付けているものとする。
【０１２２】
図１４には、ディスク１とナンバリングされたディスクがディスク収納ユニットの５番目のトレイに挿入されている場合のアドレス情報を示している。ここで、ディスク１とナンバリングされたディスクが５番目のトレイから取り出されると、アドレス情報は図１５の左側に示すように書き換えられる。さらに８番目のトレイに、５番目とは異なる新しいディスクが挿入された場合、ハード・ディスク装置１０３の空き容量が不足していると、図１５の右側に示すように、５番目のトレイに挿入されていたディスクの内容（圧縮ファイル）が消去される。
【０１２３】
図１５の左側に示す状態で、さらにあるディスクが挿入され、ディスク１と合致し、ディスクが８番目のトレイに挿入された場合には、アドレス情報は図１６に示すように書き換えられる。
【０１２４】
また、図１５の右側に示す状態で、８番面ディスクに空き番号の１が割り振られると、アドレス情報は図１７に示すように書き換えられる。
【０１２５】
なお、ディスク・チェンジャ１０１側でディスクの交換を無制限に繰り返していくと、ハード・ディスク装置１０３の容量をオーバーするという事態を招来する。この対策として、例えばＬＲＵ（Ｌｅａｓｔ  Ｒｅｃｅｎｓｔｙ  Ｕｓｅｄ）などの論理を利用し、現時点から最も古く抜き出されたリムーバブル・ディスクに関連する情報をハード・ディスク装置１０３から削除してもよいかどうか、ユーザの確認を行なうようにする。
【０１２６】
Ｅ．ディスク・システムに取り込まれたファイルのフォルダへの自動割り振り
リムーバブル・ディスクを新規に挿入する、あるいはシステム・コントローラ１０２にファイルを書き込むなどして、ディスク・システム１００にファイルが取り込まれると、フォルダへの割り振り処理と、非圧縮ファイルのハード・ディスク装置１０３への保存、並びにバックアップ・ファイルのリムーバブル・ディスクへの保存（但し、ファイルがシステムに書き込まれた場合）が行なわれる。
【０１２７】
新規のファイルを解析し、ファイルの種類や拡張子、ファイルの大きさ、フォルダ内のファイルの組み合わせなどに基づいて、格納先のフォルダを決定する。
【０１２８】
図１８には、ディスク・システム１００に取り込まれたファイルの自動割り振りを行なう際の確認表示イメージの構成例を示している。
【０１２９】
まず、第１候補となるフォルダ内のファイル構成を一覧表示する。ユーザはこの画面を確認し、新規ファイルの格納先として相応しくないと判断した場合には、例えばマウスの左ボタンで当該フォルダのアイコンをクリックするなどの操作を行なう。これに応答して、第２候補以下のフォルダが一覧表示される。そして、所望のフォルダ・アイコンをクリックしてフォルダ・ウィンドウ開くことにより、第１候補の場合と同様の確認操作が行なわれる。
【０１３０】
フォルダ・ウィンドウ内では、フォルダ名をクリックすることでさらに下の階層に入っていくことができる。また、開いているフォルダ・ウィンドウ間でフォルダやファイルの移動操作を行なうことができる。
【０１３１】
また、ファイルが取り込まれた時点でファイル解析をし、ファイルの種類に応じて、ハード・ディスク装置１０３に保存するものを圧縮又は非圧縮のいずれにするか（若しくは圧縮形式）を決定する。
【０１３２】
音楽やＤＶＤなど著作権管理されたファイルに関しては圧縮などを作ることで、ハード・ディスク装置１０３上にはコピーは作らない。また、エクセルやワードなどのアプリケーション・ファイルは圧縮したデータでは作業できなくなるので、圧縮せずリムーバブル・ディスクとハード・ディスク装置１０３の両方に置く。プロパティで「ハード・ディスク装置１０３にはサムネイルのみ」を選んだ際にのみ、イメージ・データを作ってハード・ディスク装置１０３に保存し、元のデータはハード・ディスク装置１０３上から削除する。
【０１３３】
ハード・ディスク装置１０３上のファイル・システムが破壊すると、その修復は不可能に等しい。そこで、リムーバブル・ディスクを一枚使ってバックアップするか、又は書き込んだリムーバブル・ディスク上にシステム・ファイルとしてハード・ディスク上の管理位置を記録しておく。あるいは、ＰＣなどのシステム・コントローラ１０２やそのたのホスト装置にバックアップを置くようにしてもよい。
【０１３４】
Ｆ．システム・オペレーション
この項では、本実施形態に係るディスク・システム１００上でファイル操作を行なうときの動作手順について詳解する。以下では、ハード・ディスク装置１０３は、圧縮ファイル（並びに非圧縮ファイル）を保存するデータ領域と、各ファイルに関するフォルダ及びバックアップ・ファイルの格納先アドレスの対応関係を記述したアドレス情報領域と、リムーバブル・ディスクからファイル読み出し時におけるキャッシュ領域を備えているものとする。
【０１３５】
図１９には、ディスク・チェンジャ１０１に新規のリムーバブル・ディスクを挿入したときの動作を模式的に示している。
【０１３６】
（１）まず、ディスク・チェンジャ１０１内のディスク収納ユニットに新規のリムーバブル・ディスクを挿入すると、このディスクをディスク再生記録ユニットにローディングし、格納されている各ファイルの解析を行なう。その後、すべてのファイルをハード・ディスク装置１０３のキャッシュ領域にコピーする。但し、挿入されたリムーバブル・ディスクがＤＶＤなど著作権保護されたものである場合は、ハード・ディスク装置１０３にコピーをとることはできないので、この動作はない。
【０１３７】
（２）ＰＣなどのシステム・コントローラ１０２からのファイル転送要求に対しては順次対応する。
【０１３８】
（３）また、ディスク・システム１００における処理状況を確認しつつ、ハード・ディスク装置１０３に一時保存されているファイルを圧縮しながら、そのデータ領域に書き込んでいく。著作権保護されたファイルの関しては、圧縮などのイメージをハード・ディスク装置１０３上に作成することはできない。この場合、ファイルの一部又はサムネイルをデータ領域に置くことで代替する。
【０１３９】
図２０には、ディスク・チェンジャ１０１にリムーバブル・ディスクが挿入されたときにディスク・システム１００内で行なわれる一連の処理動作をフローチャートの形式で示している。
【０１４０】
リムーバブル・ディスクが挿入されると（ステップＳ１）、その旨を表示してユーザに通知する（ステップＳ２）。
【０１４１】
そして、挿入されたディスクの解析、並びにディスク内に格納されている各ファイルの解析を行なう（ステップＳ３）。
【０１４２】
ここで、ファイルが既存のファイル形式かどうかを判別する（ステップＳ４）。既存のファイル形式であれば、割り振り先となる既存のフォルダの候補リストを作成する（ステップＳ５）。候補リストの作成方法については後述に譲る。また、既存のファイル形式でなければ、割り振り先となる新規のフォルダを作成する（ステップＳ６）。
【０１４３】
次いで、ファイルの圧縮が可能であるかどうかを判別する（ステップＳ７）。そして、圧縮可能であれば、圧縮ファイル作成フラグをセットする（ステップＳ８）。
【０１４４】
ここで、解析処理が終了していないファイルがまだディスクに残っていれば（ステップＳ９）、ステップＳ３に戻り、上記と同様の解析処理を繰り返し実行する。
【０１４５】
挿入したディスクにおけるファイル解析が終了すると、続いて、当該ディスクを挿入した履歴がディスク・システム１００に残っているかどうかを判別する（ステップＳ１０）。挿入履歴が残っていれば、当該保存したデータを復帰することにより（ステップＳ２０）、後続の処理をスキップして、本処理ルーチン全体を終了する。
【０１４６】
一方、挿入履歴が残っていないディスクの場合、ファイル解析結果一覧を表示する（ステップＳ１１）。そして、ディスク上の各ファイルに関して、ユーザ確認、修正入力、圧縮／非圧縮の確認、新規フォルダへの命名を行なう（ステップＳ１２）。
【０１４７】
次いで、修正入力を用いて、挿入されたディスク上のファイルの一覧表示を行なう（ステップＳ１３）。このファイル一覧表示画面上で、ユーザが所望のファイルをクリックすると（ステップＳ１４）、指定されたファイルの読み出しが行なわれる（ステップＳ１５）。このようなファイル読み出し操作は、ファイル一覧表示がクローズされるまで繰り返し行なわれる（ステップＳ１６）。
【０１４８】
次いで、選択されたファイルのコピーが可能かどうかをチェックする（ステップＳ１７）。コピーが可能であれば、ディスクからハード・ディスク装置１０３のキャッシュ領域へ、ファイルのコピーを行なう（ステップＳ１８）。そして、これらの圧縮予約を設定し（ステップＳ１９）、本処理ルーチン全体を終了する。
【０１４９】
ハード・ディスク装置１０３のキャッシュ領域で、圧縮予約が設定されたファイルは、圧縮データの書き込み要求が発生したことに応答して、圧縮ファイルの作成並びにハード・ディスク装置１０３への圧縮ファイルの書き込み処理が起動する。
【０１５０】
図２１には、キャッシュ領域上で圧縮予約されたファイルの圧縮処理並びにハード・ディスク装置１０３のデータ領域への書き込み処理を行なうための処理手順をフローチャートの形式で示している。
【０１５１】
ハード・ディスク装置１０３への書き込み要求が発生すると（ステップＳ３１）、まず、そのデータ領域に十分な空き容量があるかどうかをチェックする（ステップＳ３２）。
【０１５２】
ここで、データ領域に十分な空き領域があることが確認された場合には、キャッシュ領域に一時保存されているファイルの圧縮処理を開始する（ステップＳ３８）。そして、作成された圧縮ファイルをデータ領域に書き込んで（ステップＳ３９）、本処理ルーチン全体を終了する。
【０１５３】
一方、データ領域の容量が不足していることが判明した場合には（ステップＳ３２）、データ領域に格納されているファイルに関する消去リストがあるかどうかをチェックする（ステップＳ３３）。消去リストは、ディスク・チェンジャ１０１からリムーバブル・ディスクを取り外したときに作成される（後述）。そして、十分な容量を得るまで（ステップＳ３５）、消去リスト中のファイルを最も古いものから順に消去していく（ステップＳ３４）。
【０１５４】
また、消去リストがない場合には、これに代えて、イジェクト・リスト中のファイルを古いものから消去する操作を（ステップＳ３６）、十分な容量を得るまで繰り返し行なう（ステップＳ３７）。
【０１５５】
このようにして、ハード・ディスク装置１０３のデータ領域に十分な容量を得ると、キャッシュ領域に一時保存されているファイルの圧縮処理を開始する（ステップＳ３８）。そして、作成された圧縮ファイルをデータ領域に書き込んで（ステップＳ３９）、本処理ルーチン全体を終了する。
【０１５６】
ファイルの再生処理は、ハード・ディスク装置１０３上の圧縮データ、あるいはリムーバブル・ディスク上の非圧縮データのいずれかを、ＰＣなどのシステム・コントローラ１０２に転送して行なわれる。
【０１５７】
図２２には、ディスク・システム１００上で、ファイルをシステム・コントローラ１０２へ転送する動作を模式的に示している。
【０１５８】
（１）まず、アイコン操作（図１３を参照のこと）などにより指定されたファイルの一部又はタイトルなどを、ハード・ディスク装置１０３のデータ領域から読み込んで、ユーザに提示する。これに並行して、ディスク・チェンジャ１０１側では、指定されたファイルの原版を格納するリムーバブル・ディスクへディスク・チェンジを行ない、ディスク再生記録ユニットへローディングする。ディスク・チェンジ動作は最長で１０秒以上を要する。
【０１５９】
（２）そして、該当ディスクのローディングが完了すると、データ転送元をハード・ディスク装置１０３のデータ領域からディスク・チェンジャ１０１のディスク再生記録ユニットに切り換え、システム・コントローラ１０２へデータ転送する。
【０１６０】
著作権保護のかかったファイルやコンテンツに関しては、ハード・ディスク装置１０３にすべてをコピーすることはできない。しかし、そのまま該当するリムーバブル・ディスクからファイルを読み出すだけでは、ディスク・チェンジ並びにローディングなどを伴い、データ再生が可能になるまで長時間かかることがある。そこで、ハード・ディスク装置１０３のデータ領域には、ファイルの原版のイメージや圧縮された一部を置き、ディスク・チェンジャ１０１からデータ転送が可能になるまでは、ハード・ディスク装置１０３上のデータを利用して空白の期間をなくす。このように、ハード・ディスク装置１０３をキャッシュとして利用することで、利便性を高めることができる。
【０１６１】
図２３には、ハード・ディスク装置１０３上の圧縮ファイルをシステム・コントローラ１０２で利用する際の動作を模式的に示している。
【０１６２】
デジタル・カメラで撮ったＪＰＥＧの写真画像などは、プリントしない限り、フルサイズのデータを使用する必要はない。閲覧程度であれば、圧縮ファイルでも十分なので、ハード・ディスク装置１０３から圧縮ファイルを読み出す方が、ディスク・チェンジャから原ファイルを取り出すよりも、高速で利便性が高い。また、エクセル・ファイルを始めアプリケーション用のファイルは圧縮してしまうと使用できなくなるので、非圧縮でハード・ディスク装置１０３に保存する。
【０１６３】
図２４には、ハード・ディスク装置１０３上の圧縮ファイルをシステム・コントローラ１０２で利用するための処理手順をフローチャートの形式で示している。
【０１６４】
ユーザがファイルを選択するなどして、データ読み出し要求が発生すると（ステップＳ４１）、当該ファイルがハード・ディスク装置１０３上にあるかどうかを判別する（ステップＳ４２）。
【０１６５】
ここで、選択されたファイルについての圧縮（若しくは非圧縮）ファイルがハード・ディスク装置１０３上にある場合には、これを、ハード・ディスク装置１０３からシステム・コントローラ１０２へ転送し（ステップＳ４３）、データ再生などを行なう。
【０１６６】
また、選択されたファイルがハード・ディスク装置１０３上に存在しない場合には、ディスク・チェンジャ１０１内のリムーバブル・ディスクに格納されている原ファイルをシステム・コントローラ１０２へ転送し（ステップＳ４４）、データ再生などを行なう。
【０１６７】
ディスク・システム１００には、ディスク・チェンジャ１０１にリムーバブル・ディスクを新規に挿入する以外に、ＰＣなどのシステム・コントローラ１０２からファイルを書き込むことによっても、新規ファイルが投入される。図２５には、システム・コントローラ１０２にファイルを書き込んだときの動作を模式的に示している。
【０１６８】
（１）システム・コントローラ１０２に書き込まれたファイルはすべて、ハード・ディスク装置１０３内のキャッシュ領域に一旦保存する。
【０１６９】
（２）続いて、キャッシュ領域内に一時保存されているファイルを解析し、圧縮または非圧縮いずれの形式でデータ領域に保存すべきかを判別し、データ領域に格納する。
【０１７０】
（３）さらに、ディスク・チェンジャ１０１内に挿入されている各リムーバブル・ディスクの空き状況を確認しつつ、キャッシュ領域内に一時保存されている各ファイルを原版すなわち非圧縮のまま、リムーバブル・ディスクに振り分けながら書き込む。
【０１７１】
図２６には、システム・コントローラ１０２にファイルを書き込んだときの一連の処理動作をフローチャートの形式で示している。
【０１７２】
システム・コントローラ１０２へファイルが転送されると（ステップＳ５１）、ハード・ディスク装置１０３内のキャッシュ領域に一時保存される（ステップＳ５２）。
【０１７３】
そして、ファイルの格納先となるフォルダを自動識別することが可能かどうかを判別する（ステップＳ５３）。自動識別フォルダであれば、続いて、当該ファイルを圧縮が可能かどうかをチェックし（ステップＳ６８）、圧縮可能であれば圧縮作成フラグをセットする（ステップＳ６９）。そして、書き込み予約を作成し（ステップＳ６７）、本処理ルーチン全体を終了する。
【０１７４】
一方、ファイルの格納先フォルダを自動識別することができない場合には（ステップＳ５３）、ファイル解析を行ない（ステップＳ５４）、ファイルが既存のファイル形式かどうかを判別する（ステップＳ５５）。既存のファイル形式であれば、割り振り先となる既存のフォルダの候補リストを作成する（ステップＳ５６）。候補リストの作成方法については後述に譲る。また、既存のファイル形式でなければ、割り振り先となる新規のフォルダを作成する（ステップＳ５７）。
【０１７５】
次いで、ファイルの圧縮が可能であるかどうかを判別する（ステップＳ５８）。そして、圧縮可能であれば、圧縮ファイル作成フラグをセットする（ステップＳ５９）。
【０１７６】
ここで、解析処理が終了していない転送ファイルがまだキャッシュ領域に残っていれば（ステップＳ６０）、ステップＳ５４に戻り、上記と同様の解析処理を繰り返し実行する。
【０１７７】
次いで、ファイル解析結果一覧を表示する（ステップＳ６１）。そして、ディスク上の各ファイルに関して、ユーザ確認、修正入力、圧縮／非圧縮の確認、新規フォルダへの命名を行なう（ステップＳ６２）。
【０１７８】
次いで、修正入力を用いて、挿入されたディスク上のファイルの一覧表示を行なう（ステップＳ６３）。このファイル一覧表示画面上で、ユーザが所望のファイルをクリックすると（ステップＳ６４）、指定されたファイルの読み出しが行なわれる（ステップＳ６５）。このようなファイル読み出し操作は、ファイル一覧表示がクローズされるまで繰り返し行なわれる（ステップＳ６６）。そして、書き込み予約を作成し（ステップＳ６７）、本処理ルーチン全体を終了する。
【０１７９】
図１９〜図２０で示したシステム・オペレーションでは、ディスク・チェンジャ１０１に新規のリムーバブル・ディスクを挿入することによって、システム１００にファイルが書き込まれる。ところが、ディスク・チェンジャ１０１側でディスクの交換を無制限に繰り返していくと、ハード・ディスク装置１０３の容量をオーバーするという事態を招来する。このため、ＬＲＵ論理などを利用し、現時点から最も古く抜き出されたリムーバブル・ディスクに関連する圧縮ファイルなどのデータをハード・ディスク装置１０３から削除するようにしている。図２１に示した実施形態では、イジェクト・リスト及び消去リストディスク・チェンジャ１０１から排出したリムーバブル・ディスクを管理している。
【０１８０】
図２７には、ディスク・チェンジャ１０１からリムーバブル・ディスクを排出したときの動作手順をフローチャートの形式で示している。
【０１８１】
リムーバブル・ディスクの排出が行なわれると（ステップＳ７１）、これが通常のディスク・イジェクト入力であったかどうかを判別する（ステップＳ７２）。そして、通常のディスク・イジェクト入力であれば、排出されたリムーバブル・ディスクのディスク番号をイジェクト・リストに追加し（ステップＳ７３）、そうでなければそのディスク番号を消去リストに追加する（ステップＳ７４）。
【０１８２】
リムーバブル・ディスクの挿入やシステム・コントローラ１０２へのファイル伝送などにより、ディスク・システム１００に対するファイル書き込みが行なわれたとき、この新規ファイルが既存のファイル形式であった場合には、既存フォルダ候補リストが作成され、候補リスト中のファルダに圧縮ファイルが作成される（前述、並びに図２０、図２６を参照のこと）。また、システム１００に書き込まれたファイルの原版はフォルダに対応するリムーバブル・ディスクにバックアップとして保存される。
【０１８３】
図２８には、既存フォルダ候補リストを作成する手順を示している。
【０１８４】
まず、ハード・ディスク装置１０３上でのファイルの類似性の順に候補リストを作成する（ステップＳ８１）。次いで、ハード・ディスク装置１０３上でのファイルの占有率の高い順に候補リストを作成する（ステップＳ８２）。
【０１８５】
例えば、ハード・ディスク装置１０３上に「写真フォルダ１」及び「写真フォルダ２」という既存フォルダが存在しているとする。そして、写真フォルダ１には２５枚のＪＰＥＧ画像ファイルと、「伊豆旅行の思い出」というアプリケーション・ファイルが２つ格納され、写真フォルダ２には２０麻衣のＪＰＥＧ画像ファイルが格納されている。
【０１８６】
フォルダの内容比で順位付けすると、写真フォルダ１ではＪＰＥＧファイルの占有率が２５／２７であるのに対し、写真フォルダ２では１００％となる。したがって、例えばＤＳＣ１０１．ＪＰＧというファイルがキャッシュ領域に一時保存されている場合、その格納先フォルダとして写真フォルダ２が第１候補、写真フォルダ１が第２候補となる。
【０１８７】
また、アプリケーション・ファイルとＪＰＥＧファイルで構成される「京都旅行」というフォルダが一時保存されている場合、構成上の類似性の高い写真フォルダ１が第１候補、写真フォルダ２が第２候補となる。
【０１８８】
既存フォルダ候補リストからフォルダを指定するユーザ操作について、図２９〜図３１を参照しながら説明する。
【０１８９】
図２９には、既存フォルダを一覧表示した画面構成例を示している。図示の例では、主に写真画像ファイルで構成される写真１フォルダと、主に音楽ファイルで構成される音楽１フォルダなど、複数のフォルダが一覧表示されている。写真１フォルダ内には、「伊豆旅行」フォルダと、写真ファイルＤＳＣ１０１．ＪＰＧが格納されている。また、音楽１フォルダ内には、「アーティストＡ」フォルダと、「アーティストＢ」フォルダが格納されている。同図中、伊豆旅行やアーティストＡなど、２重に表示されたフォルダは圧縮ファイルが作られているもので、２重になっていないものは圧縮ファイルが作られていない。
【０１９０】
ここで、伊豆旅行のフォルダをマウス・カーソルなどで触れると、図３０に示すように、既存フォルダ候補リストの順にフォルダを配列したウィンドウが表示される。そして、所望のフォルダをつまんでファイルを挿入すれば、操作が終了する。
【０１９１】
また、フォルダ一覧画面上で、あるフォルダの名前をクリックすると、フォルダ内のすべてのフォルダが表示される。図３１には、写真１フォルダのフォルダ名をクリックしたときに、写真１フォルダ内の構成が詳細に表示されている様子を示している。フォルダの中の階層が表示されるので、その中でドラッグ・アンド・ドロップ操作することで、ファイルを挿入する場所を指示することができる。この場合のフォルダ分類の詳細表示例を図３２に示しておく。
【０１９２】
非圧縮のデータに関しては、バックアップ先として、ディスク・チェンジャ１０１内のＲＷ系のディスクに優先的に割り振るようにする。
【産業上の利用可能性】
【０１９３】
以上、特定の実施形態を参照しながら、本発明について詳解してきた。しかしながら、本発明の要旨を逸脱しない範囲で当業者が該実施形態の修正や代用を成し得ることは自明である。すなわち、例示という形態で本発明を開示してきたのであり、本明細書の記載内容を限定的に解釈するべきではない。本発明の要旨を判断するためには、特許請求の範囲の記載を参酌すべきである。
【図面の簡単な説明】
【０１９４】
【図１】図１は、本発明の一実施形態に係るディスク・システム１００の構成を模式的に示した図である。
【図２】図２は、ディスク・チェンジャ１０１内のデータ再生記録ユニットの内部構成を示した図である。
【図３】図３は、ハード・ディスク装置１０３の内部構成を示した図である。
【図４】図４は、ディスク・チェンジャ１０１でリムーバブル・ディスクに記録されているファイルの原版と、ハード・ディスク装置１０３に残された圧縮ファイルの対応関係を示した図である。
【図５】図５は、「仮想のディスク・ドライブ」フォルダ閲覧画面の構成例を示した図である。
【図６】図６は、圧縮ファイルを持つフォルダと非圧縮ファイルを持つフォルダの２つのアイコンに分離する様子を示した図である。
【図７】図７は、ディスク・システム１００にファイルが書き込まれたときの処理の様子を示した図である。
【図８】図８は、ディスク・チェンジャ１０１にリムーバブル・ディスクを挿入したときのファイル自動振り分けを行なう様子を示した図である。
【図９】図９は、ディスク・システム１００に書き込まれたファイルの処理を行なう様子を示した図である。
【図１０】図１０は、ディスク・システム１００に書き込まれた各ファイルをファイルの種類や拡張子、ファイルの大きさ、フォルダ中のファイルの組み合わせなどにより分類する様子を示した図である。
【図１１】図１１は、ハード・ディスク装置１０３上の圧縮データを用いてファイルの再生を行なう流れを示した図である。
【図１２】図１２は、ハード・ディスク装置１０３上の圧縮データを用いず、リムーバブル・ディスク上の非圧縮ファイルを用いて再生を行なう流れを示した図である。
【図１３】図１３は、圧縮ファイルと非圧縮ファイルを２重表示したアイコンの構成例を示した図である。
【図１４】図１４は、ディスク・チェンジャ１０２上でのリムーバブル・ディスクの交換に伴うアドレス情報の書き換え処理の様子を示した図である。
【図１５】図１５は、ディスク・チェンジャ１０２上でのリムーバブル・ディスクの交換に伴うアドレス情報の書き換え処理の様子を示した図である。
【図１６】図１６は、ディスク・チェンジャ１０２上でのリムーバブル・ディスクの交換に伴うアドレス情報の書き換え処理の様子を示した図である。
【図１７】図１７は、ディスク・チェンジャ１０２上でのリムーバブル・ディスクの交換に伴うアドレス情報の書き換え処理の様子を示した図である。
【図１８】図１８は、ディスク・システム１００に取り込まれたファイルの自動割り振りを行なう際の確認表示イメージの構成例を示した図である。
【図１９】図１９は、ディスク・チェンジャ１０１に新規のリムーバブル・ディスクを挿入したときの動作を模式的に示した図である。
【図２０】図２０は、ディスク・チェンジャ１０１にリムーバブル・ディスクが挿入されたときにディスク・システム１００内で行なわれる一連の処理動作を示したフローチャートである。
【図２１】図２１は、キャッシュ領域上で圧縮予約されたファイルの圧縮処理並びにハード・ディスク装置１０３のデータ領域への書き込み処理を行なうための処理手順を示したフローチャートである。
【図２２】図２２は、ディスク・システム１００上で、ファイルをシステム・コントローラ１０２へ転送する動作を模式的に示した図である。
【図２３】図２３は、ハード・ディスク装置１０３上の圧縮ファイルをシステム・コントローラ１０２で利用する際の動作を模式的に示した図である。
【図２４】図２４は、ハード・ディスク装置１０３上の圧縮ファイルをシステム・コントローラ１０２で利用するための処理手順を示したフローチャートである。
【図２５】図２５は、システム・コントローラ１０２にファイルを書き込んだときの動作を模式的に示した図である。
【図２６】図２６は、システム・コントローラ１０２にファイルを書き込んだときの一連の処理動作を示したフローチャートである。
【図２７】図２７は、ディスク・チェンジャ１０１からリムーバブル・ディスクを排出したときの動作手順を示したフローチャートである。
【図２８】図２８は、既存フォルダ候補リストを作成する手順を示した図である。
【図２９】図２９は、既存フォルダ候補リストからフォルダを指定するユーザ操作を説明するための図である。
【図３０】図３０は、既存フォルダ候補リストからフォルダを指定するユーザ操作を説明するための図である。
【図３１】図３１は、既存フォルダ候補リストからフォルダを指定するユーザ操作を説明するための図である。
【図３２】図３２は、フォルダ分類の詳細表示例を示した図である。
【符号の説明】
【０１９５】
１００…ディスク・システム
１０１…ディスク・チェンジャ
１０２…システム・コントローラ
１０３…ハード・ディスク装置
【図１】
2006195588.tif 000003
【図２】
2006195588.tif 000004
【図３】
2006195588.tif 000005
【図４】
2006195588.tif 000006
【図５】
2006195588.tif 000007
【図６】
2006195588.tif 000008
【図７】
2006195588.tif 000009
【図８】
2006195588.tif 000010
【図９】
2006195588.tif 000011
【図１０】
2006195588.tif 000012
【図１１】
2006195588.tif 000013
【図１２】
2006195588.tif 000014
【図１３】
2006195588.tif 000015
【図１４】
2006195588.tif 000016
【図１５】
2006195588.tif 000017
【図１６】
2006195588.tif 000018
【図１７】
2006195588.tif 000019
【図１８】
2006195588.tif 000020
【図１９】
2006195588.tif 000021
【図２０】
2006195588.tif 000022
【図２１】
2006195588.tif 000023
【図２２】
2006195588.tif 000024
【図２３】
2006195588.tif 000025
【図２４】
2006195588.tif 000026
【図２５】
2006195588.tif 000027
【図２６】
2006195588.tif 000028
【図２７】
2006195588.tif 000029
【図２８】
2006195588.tif 000030
【図２９】
2006195588.tif 000031
【図３０】
2006195588.tif 000032
【図３１】
2006195588.tif 000033
【図３２】
2006195588.tif 000034